(57)【要約】【課題】数字や文字を簡便にかつ低コストで路面等に表示すること。【解決手段】数字や文字を構成するセグメント２の所定位置に、このセグメント２の形状に予め形成した表示部材１を２次元的に配置し、数字や文字を構成する。その数字や文字の構成に必要なセグメント２のみに表示部材１を配置すればよいため、作業を簡便に行うことができるとともに、この表示部材１の無駄は生じないため、低コストで路面等への数字や文字の表示が可能となる。【選択図】図１
2016045303.tif 000002
【特許請求の範囲】
【請求項１】
所定位置に一つ又は二つ以上を２次元的に並べて配置され、その配置によって数字又は文字を構成する、所定形状に形成された表示部材。
【請求項２】
前記所定位置が、７セグメント、１４セグメント、又は１６セグメントから構成される数字又は文字の各セグメント（２）の位置に対応し、前記所定形状が、前記セグメント（２）の位置におけるセグメント形状に対応する請求項１に記載の表示部材。
【請求項３】
加熱に伴って溶融するとともに、加熱後の冷却によって硬化して前記所定位置に定着する素材からなる請求項１又は２に記載の表示部材。
【発明の詳細な説明】
【技術分野】
【０００１】
この発明は、幾つかのセグメントから構成される数字や文字を表示する際に用いる表示部材に関する。
【背景技術】
【０００２】
例えば、駐車場の路面上に区画番号を示す数字や文字を表示するために、その数字や文字の形状に形成されたシート状の表示部材を路面上に配置し、この表示部材を例えばバーナ等を用いて路面に焼き付けて固定したり、粘着剤を用いて路面に固定したりすることがある。この数字や文字は多種に亘るため、ホームセンター等の小売店でその表示部材を販売する際に広い販売スペースを要し、販売効率が悪くなる問題がある。
【０００３】
この問題を解決するものとして、例えば特許文献１には、基材に７セグメントで構成された０〜９の数字構成要素からなる数字母体を剥離可能な状態にプリント又は切り離し可能な状態に加工し、７セグメントのいずれかの箇所を切除して露出した部分で０〜９までの各数字を表示するようにした数字表示具が示されている。このように、セグメントで数字を構成することにより、共通の表示部材で複数の数字を表示することができる。このため、広い販売スペースが不要となり、販売効率の向上を図ることができる。
【先行技術文献】
【特許文献】
【０００４】
【特許文献１】実用新案登録第３１４３１０１号公報
【発明の概要】
【発明が解決しようとする課題】
【０００５】
特許文献１に記載の数字表示具は、７セグメントのいずれかの箇所を切除等して数字を表示するものであるが、その数字の構成に関与しないセグメントは、切除等によって数字構成要素を表示し得るようになっているにも関わらず使用されず無駄となる。このため、一つの数字を構成するためのコストが高くつきやすい問題がある。文字も表示し得る多セグメントの表示具の場合、この無駄は一層顕著となる。
【０００６】
そこで、この発明は、数字や文字を簡便にかつ低コストで路面等に表示することを課題とする。
【課題を解決するための手段】
【０００７】
上記課題を解決するため、この発明では、所定位置に一つ又は二つ以上を２次元的に並べて配置され、その配置によって数字又は文字を構成する、所定形状に形成された表示部材を構成した。
【０００８】
このように、所定形状の表示部材を２次元的に並べて数字又は文字を構成することにより、その構成に必要なセグメントのみに表示部材を配置すればよいので、この表示部材の無駄は生じない。このため、低コストで路面等への数字や文字の表示が可能となる。
【０００９】
前記構成においては、前記所定位置が、７セグメント、１４セグメント、又は１６セグメントから構成される数字又は文字の各セグメントの位置に対応し、前記所定形状が、前記セグメントの位置におけるセグメント形状に対応する構成とすることができる。
【００１０】
７セグメントで数字や文字を構成する場合、１〜２程度の少ない種類の表示部材で数字や文字を表現することができ、部材の低コスト化を図ることができる。その一方で、１４又は１６セグメントで数字や文字を構成する場合、５〜８程度の種類の表示部材が必要となるものの、複雑な形状の文字をきれいに表示することができ、情報量を大幅に増やすことができる。
【００１１】
前記各構成においては、表示部材が、加熱に伴って溶融するとともに、加熱後の冷却によって硬化して前記所定位置に定着する素材からなる構成とすることができる。
【００１２】
このようにすれば、この表示部材を簡便に路面等に定着させることができるとともに、路面等の凹凸に溶融した表示部材が入り込んで、硬化後に高い密着力を得ることができる。
【発明の効果】
【００１３】
この発明においては、所定位置に一つ又は二つ以上を２次元的に並べて配置され、その配置によって数字又は文字を構成する、所定形状に形成された表示部材を構成した。この表示部材を用いれば、数字や文字を構成するのに必要なセグメントのみにこの表示部材を配置すればよいので、多セグメントからなる表示具の全てのセグメントに表示部材を予め設ける構成と比較して、表示部材の無駄は生じない。また、セグメントの位置に合わせて表示部材を配置することにより数字や文字を構成できるので非常に簡便である。
【図面の簡単な説明】
【００１４】
【図１】（ａ）は本願発明に係る表示部材の第一実施形態を示す平面図、（ｂ）は本図（ａ）に示す表示部材を配置するセグメント位置（７セグメント）を示す平面図
【図２】第一実施形態に係る表示部材を用いて表示した数字を示す平面図
【図３】（ａ）は本願発明に係る表示部材の第二実施形態を示す平面図、（ｂ）は本図（ａ）に示す表示部材を配置するセグメント位置（１４セグメント）を示す平面図
【図４】第二実施形態に係る表示部材を用いて表示した文字を示す平面図
【図５】（ａ）は本願発明に係る表示部材の第三実施形態を示す平面図、（ｂ）は本図（ａ）に示す表示部材を配置するセグメント位置（１６セグメント）を示す平面図
【図６】第三実施形態に係る表示部材を用いて表示した文字を示す平面図
【発明を実施するための形態】
【００１５】
この発明に係る表示部材の第一実施形態を図１に示す。この表示部材１は、長方形状をしており、その四頂点を約４５度の角度で切除したシート状の部材である（図１（ａ）参照）。この表示部材１は、バーナ等によって加熱するとその場から広がることなく溶融する一方で、加熱後の冷却によって硬化し、車両のタイヤ等との間で摩擦が生じても容易に摩耗しない耐摩耗性を備えた素材で構成される。この表示部材１は、図１（ｂ）に示す７セグメントのうちのいずれかのセグメント２に対応する位置に配置される。この表示部材１を用いて、幾つかの数字を表示した例を図２に示す。多少簡略化した形態であれば、数字以外に文字を表示することも可能である。
【００１６】
図１（ｂ）に示す７セグメントで数字等を表示する場合、図１（ａ）に示す１種類の形状の表示部材１で全てのセグメント２に対応することができる。視覚効果を高めるために７セグメントを斜体で構成する場合は、横長のセグメント２と、縦長のセグメント２の形状が若干異なることになるため、その異なる形状ごとに表示部材１を用意する必要がある。
【００１７】
駐車場の路面等に数字等を表示する際は、次の手順に従って作業を行う。まず、路面等の清掃を行うとともに、液体プライマー等をその路面等に塗布して下地処理を行う。次に、その路面に、この表示部材１を例えば図２に示すように配置する。さらに、バーナの火炎を放射する等の方法により、表示部材１を配置したその位置で溶融させる。この溶融後に、自然冷却又は散水冷却して、この表示部材１を硬化させて路面等に定着させる。
【００１８】
このように、予め所定形状に成形された表示部材１を用いて数字等を構成できるので、路面等にマスキング処理を行った後に、所定箇所に塗料等を塗布して乾燥させる従来の手法と比較して、その作業を非常に簡便に行うことができる。
【００１９】
可燃物からなる壁面等に表示部材１を設ける場合は、上記のように火炎の放射によって表示部材１を溶融させる手法を採用できないため、表示部材１の裏面に粘着剤の層（図示せず）を形成し、この粘着剤の粘着力で表示部材１を壁面等に固定することができる。粘着剤を用いた構成とする場合は、表示部材１の素材として加熱によって溶融しないものを採用することもできる。
【００２０】
この発明に係る表示部材１の第二実施形態を図３に示す。この表示部材１も第一実施形態に係る表示部材１と同じく、バーナ等によって加熱するとその場から広がることなく溶融する一方で、加熱後の冷却によって硬化し、車両のタイヤ等との間で摩擦が生じても容易に摩耗しない耐摩耗性を備えた素材で構成される。この表示部材１は、図３（ｂ）に示す１４セグメントのうちのいずれかに対応する位置に配置される。１４セグメントで数字等を表示する場合、図３（ａ）に示す６種類の形状の表示部材１（１ａ〜１ｆ）で全てのセグメント２（２ａ〜２ｆ）に対応することができるが、各セグメント２（２ａ〜２ｆ）の形状を若干変更したり、斜体としたりする場合、その種類は多少増減する。
【００２１】
第二実施形態に係る表示部材１（１ａ〜１ｆ）を用いて、幾つかの文字（大文字アルファベットの「ＳＨＩＮ」）を表示した例を図４に示す。このようにセグメント２（２ａ〜２ｆ）の数を増やすことによって、文字のように複雑な形状であっても表示することが可能となり、この表示部材１（１ａ〜１ｆ）で表示できる情報量を大幅に増やすことができる。
【００２２】
この発明に係る表示部材１の第三実施形態を図５に示す。この表示部材１も第一実施形態等に係る表示部材１と同じく、バーナ等によって加熱するとその場から広がることなく溶融する一方で、加熱後の冷却によって硬化し、車両のタイヤ等との間で摩擦が生じても容易に摩耗しない耐摩耗性を備えた素材で構成される。この表示部材１は、図５（ｂ）に示す１６セグメントのうちのいずれかに対応する位置に配置される。１６セグメントで数字等を表示する場合、図５（ａ）に示す８種類の表示部材１（１ｇ〜１ｎ）で全てのセグメント２（２ｇ〜２ｎ）に対応することができるが、各セグメント２（２ｇ〜２ｎ）の形状を若干変更したり、斜体としたりする場合、その種類は多少増減する。
【００２３】
第三実施形態に係る表示部材１（１ｇ〜１ｎ）を用いて、幾つかの文字（小文字アルファベットの「ｆｕｊｉ」）を表示した例を図６に示す。このようにセグメント２（２ｇ〜２ｎ）の数をさらに増やすことによって、文字の識別性や見た目を一層向上することができ、表示部材１（１ｇ〜１ｎ）で表示できる情報量を一層増やすことができる。
【００２４】
上記の各実施形態はあくまでも例示であって、数字や文字を簡便にかつ低コストで路面等に表示するという本願発明の課題を解決し得る限りにおいて、数字や文字を構成するセグメント２の数、表示部材１の形状等を適宜変更し得ることは言うまでもない。また、数字や文字以外に、記号を表示する際にも本願発明に係る表示部材を適用することができる。
【符号の説明】
【００２５】
１（１ａ〜１ｎ）  表示部材
２（２ａ〜２ｎ）  セグメント
【図１】
2016045303.tif 000003
【図２】
2016045303.tif 000004
【図３】
2016045303.tif 000005
【図４】
2016045303.tif 000006
【図５】
2016045303.tif 000007
【図６】
2016045303.tif 000008